(57)【要約】  暗号化が必要である映像が暗号化されていない状態で出力されるおそれを低減できる映像出力制御装置及び映像出力制御方法を提供する。第１受付部（４０）は、第１の経路を経由して映像及び当該映像の暗号化の要否を示す暗号化要否信号を受け付ける。第２受付部（４４）は、第１の経路とは異なる第２の経路を経由して制御信号を受け付ける。映像変換部（４６）は、制御信号に応じて、第１受付部（４０）が受け付ける映像を、当該映像とは形式が異なる暗号化された映像又は当該映像とは形式が異なる暗号化されていない映像のいずれかに変換する。出力制御部（４８）は、暗号化要否信号と、映像変換部（４６）による変換後の映像が暗号化されているか否かと、に基づいて、当該映像を出力するか否かを制御する。
2019031445.tif 000002
【特許請求の範囲】
【請求項１】
第１の経路を経由して映像及び当該映像の暗号化の要否を示す暗号化要否信号を受け付ける第１受付部と、
前記第１の経路とは異なる第２の経路を経由して制御信号を受け付ける第２受付部と、
前記制御信号に応じて、前記映像を、当該映像とは形式が異なる暗号化された映像又は当該映像とは形式が異なる暗号化されていない映像のいずれかに変換する映像変換部と、
前記暗号化要否信号と、前記映像変換部による変換後の映像が暗号化されているか否かと、に基づいて、当該映像を出力するか否かを制御する出力制御部と、
を含むことを特徴とする映像出力制御装置。
【請求項２】
前記第１受付部は、前記映像に含まれるフレーム画像に対応付けられる前記暗号化要否信号を受け付け、
前記出力制御部は、前記暗号化要否信号と、前記映像変換部による変換後の映像に含まれる、当該暗号化要否信号に対応付けられるフレーム画像が暗号化されているか否かと、に基づいて、当該フレーム画像を出力するか否かを制御する、
ことを特徴とする請求項１に記載の映像出力制御装置。
【請求項３】
前記第１受付部が１のフレーム画像に対応付けられる複数の前記暗号化要否信号を受け付けた際は、当該複数の暗号化要否信号のいずれかが、対応付けられるフレーム画像が暗号化される必要があることを示しており、前記映像変換部による変換後の映像が暗号化されていない場合に、前記出力制御部は、当該フレーム画像が出力されないよう制御する、
ことを特徴とする請求項２に記載の映像出力制御装置。
【請求項４】
前記第１受付部は、プロセッサから前記映像及び当該映像の暗号化の要否を示す暗号化要否信号を受け付け、
前記出力制御部は、さらに、前記第１受付部が、暗号化が必要であることを示す前記暗号化要否信号を受け付け、かつ、前記映像変換部が、前記第１受付部が受け付けた映像を、当該映像とは形式が異なる暗号化されていない映像に変換した場合に、前記プロセッサにその旨を通知する、
ことを特徴とする請求項１から３のいずれか一項に記載の映像出力制御装置。
【請求項５】
第１の経路を経由して映像及び当該映像の暗号化の要否を示す暗号化要否信号を受け付けるステップと、
前記第１の経路とは異なる第２の経路を経由して制御信号を受け付けるステップと、
前記制御信号に応じて、前記映像を、当該映像とは形式が異なる暗号化された映像又は当該映像とは形式が異なる暗号化されていない映像のいずれかに変換するステップと、
前記暗号化要否信号と、前記変換するステップでの変換後の映像が暗号化されているか否かと、に基づいて、当該映像を出力するか否かを制御するステップと、
を含むことを特徴とする映像出力制御方法。
【発明の詳細な説明】
【技術分野】
【０００１】
本発明は、映像出力制御装置及び映像出力制御方法に関する。
【背景技術】
【０００２】
ＤｉｓｐｌａｙＰｏｒｔやＨＤＭＩ（High-Definition Multimedia Interface）（登録商標）などといった通信インタフェースの規格が存在する。【０００３】
またＨＤＭＩなどに用いられるコンテンツの暗号化技術として、ＨＤＣＰ（High-bandwidth Digital Content Protection）が知られている。
【発明の概要】
【発明が解決しようとする課題】
【０００４】
発明者らは、図１に示すような映像出力装置１０を検討している。図１に示す映像出力装置１０では、例えば、プロセッサ１２が出力する第１の形式の映像を、変換部１８が第２の形式に変換する。具体的には例えば、変換部１８は、ＤｉｓｐｌａｙＰｏｒｔの形式の映像をＨＤＭＩの形式の映像に変換する。そして、変換された映像は出力ポート２０から表示装置３０に出力される。【０００５】
ここでプロセッサ１２と連携して動作するサブシステム１６が変換部１８に制御信号を出力する。そして変換部１８は、当該制御信号に従って、第２の形式の映像を暗号化するか否かを制御する。このようにして、例えばＨＤＣＰで暗号化された映像又は暗号化されていない映像が表示装置３０に出力されることとなる。【０００６】
図１に示す映像出力装置１０では、適正な制御信号がサブシステム１６から変換部１８に入力されることで、暗号化が必要な映像については暗号化された状態で出力される。しかし例えば映像出力装置１０の改変が行われ、不正な制御信号が変換部１８に入力できるようになると、暗号化が必要な映像が暗号化されていない状態で映像出力装置１０から表示装置３０に出力されるおそれがある。【０００７】
本発明は上記実情に鑑みてなされたものであって、その目的の一つは、暗号化が必要である映像が暗号化されていない状態で出力されるおそれを低減できる映像出力制御装置及び映像出力制御方法を提供することにある。
【課題を解決するための手段】
【０００８】
上記課題を解決するために、本発明に係る映像出力制御装置は、第１の経路を経由して映像及び当該映像の暗号化の要否を示す暗号化要否信号を受け付ける第１受付部と、前記第１の経路とは異なる第２の経路を経由して制御信号を受け付ける第２受付部と、前記制御信号に応じて、前記映像を、当該映像とは形式が異なる暗号化された映像又は当該映像とは形式が異なる暗号化されていない映像のいずれかに変換する映像変換部と、前記暗号化要否信号と、前記映像変換部による変換後の映像が暗号化されているか否かと、に基づいて、当該映像を出力するか否かを制御する出力制御部と、を含む。【０００９】
本発明の一態様では、前記第１受付部は、前記映像に含まれるフレーム画像に対応付けられる前記暗号化要否信号を受け付け、前記出力制御部は、前記暗号化要否信号と、前記映像変換部による変換後の映像に含まれる、当該暗号化要否信号に対応付けられるフレーム画像が暗号化されているか否かと、に基づいて、当該フレーム画像を出力するか否かを制御する。【００１０】
この態様では、前記第１受付部が１のフレーム画像に対応付けられる複数の前記暗号化要否信号を受け付けた際は、当該複数の暗号化要否信号のいずれかが、対応付けられるフレーム画像が暗号化される必要があることを示しており、前記映像変換部による変換後の映像が暗号化されていない場合に、前記出力制御部は、当該フレーム画像が出力されないよう制御してもよい。【００１１】
また、本発明の一態様では、前記第１受付部は、プロセッサから前記映像及び当該映像の暗号化の要否を示す暗号化要否信号を受け付け、前記出力制御部は、さらに、前記第１受付部が、暗号化が必要であることを示す前記暗号化要否信号を受け付け、かつ、前記映像変換部が、前記第１受付部が受け付けた映像を、当該映像とは形式が異なる暗号化されていない映像に変換した場合に、前記プロセッサにその旨を通知する。【００１２】
また、本発明に係る映像出力制御方法は、第１の経路を経由して映像及び当該映像の暗号化の要否を示す暗号化要否信号を受け付けるステップと、前記第１の経路とは異なる第２の経路を経由して制御信号を受け付けるステップと、前記制御信号に応じて、前記映像を、当該映像とは形式が異なる暗号化された映像又は当該映像とは形式が異なる暗号化されていない映像のいずれかに変換するステップと、前記暗号化要否信号と、前記変換するステップでの変換後の映像が暗号化されているか否かと、に基づいて、当該映像を出力するか否かを制御するステップと、を含む。
【図面の簡単な説明】
【００１３】
【図１】本発明の一実施形態に係る映像表示システムの全体構成の一例を示す図である。
【図２】垂直ブランク信号、水平ブランク信号、及び、フレーム画像の出力タイミングの一例を示す図である。
【図３】本発明の一実施形態に係る変換部で実装される機能の一例を示す機能ブロック図である。
【図４】本発明の一実施形態に係る変換部において行われる処理の流れの一例を示すフロー図である。
【発明を実施するための形態】
【００１４】
以下、本発明の一実施形態について、図面を参照しながら説明する。
【００１５】
図１は、本発明の一実施形態に係る映像表示システム１の全体構成の一例を示す図である。
【００１６】
図１に示すように、本実施形態に係る映像表示システム１は、映像出力装置１０と表示装置３０とを含んでいる。
【００１７】
本実施形態に係る映像出力装置１０には、プロセッサ１２、記憶部１４、サブシステム１６、変換部１８、出力ポート２０が含まれる。
【００１８】
プロセッサ１２は、例えば映像出力装置１０にインストールされるプログラムに従って動作するＣＰＵ等のプログラム制御デバイスである。本実施形態に係るプロセッサ１２には、ＣＰＵから供給されるグラフィックスコマンドやデータに基づいてフレームバッファに画像を描画するＧＰＵ（Graphics Processing Unit）も含まれている。またプロセッサ１２は、セキュアプロセッサであってもよい。
【００１９】
記憶部１４は、例えばＲＯＭやＲＡＭ等の記憶素子やハードディスクドライブなどである。記憶部１４には、プロセッサ１２によって実行されるプログラムなどが記憶される。また、本実施形態に係る記憶部１４には、ＧＰＵにより画像が描画される第１フレームバッファ１４ａの領域と第２フレームバッファ１４ｂの領域とが確保されている。
【００２０】
サブシステム１６は、例えばプロセッサ１２と連携して映像の暗号化を制御するコンピュータである。サブシステム１６が、プロセッサやメモリを含んで構成されていてもよい。またサブシステム１６が電子回路を含んで構成されていてもよい。
【００２１】
変換部１８は、本実施形態では例えば、プロセッサ１２から受け付ける第１の形式の映像のデータを第２の形式の映像のデータに変換するコンピュータである。変換部１８は例えばＤｉｓｐｌａｙＰｏｒｔの形式の映像のデータをＨＤＭＩの形式の映像のデータに変換する。変換部１８が、プロセッサやメモリを含んで構成されていてもよい。また変換部１８が電子回路を含んで構成されていてもよい。
【００２２】
出力ポート２０は、表示装置３０に映像を出力するポートであり、例えばＨＤＭＩポートなどである。
【００２３】
表示装置３０は、本実施形態では例えば、例えば液晶ディスプレイや有機ＥＬディスプレイ等のディスプレイであり、出力ポート２０から受け付けるデータが表す映像を表示させる。
【００２４】
本実施形態に係るフレームバッファはダブルバッファ方式であり、第１フレームバッファ１４ａにフレーム画像の描画が行われている際には、第２フレームバッファ１４ｂに記憶されているフレーム画像の出力が行われる。また、第２フレームバッファ１４ｂにフレーム画像の描画が行われている際には、第１フレームバッファ１４ａに記憶されているフレーム画像データの出力が行われる。そして例えば、所定のタイミングにフリップ処理が実行され、ＧＰＵによるフレーム画像の書込に用いられるフレームバッファと記憶されているフレーム画像の出力に用いられるフレームバッファとが切り替わる。
【００２５】
そして本実施形態に係るプロセッサ１２は例えば、ＤｉｓｐｌａｙＰｏｒｔ形式の映像を変換部１８に出力する。変換部１８は、プロセッサ１２から受け付けた映像をＨＤＭＩ形式の映像に変換する。このとき変換部１８は、サブシステム１６から受け付ける制御信号に従って、ＨＤＣＰでの暗号化がされた映像、又は、暗号化がされていない映像のいずれかに変換する。
【００２６】
また本実施形態に係るプロセッサ１２は、映像の暗号化の要否を示す信号を暗号化要否信号も変換部１８に出力する。
【００２７】
そして変換部１８は、映像の暗号化が必要であることを示す暗号化要否信号を受け付け、かつ、暗号化がされていない映像への変換を実行した場合には、当該映像の出力を抑制する。この場合、代わりに特定の色の映像（例えば黒色の映像）や特定の画像が出力されるようにしてもよい。
【００２８】
例えば映像出力装置１０の改変が行われ、不正な制御信号が変換部１８に入力できるようになることがある。この場合、暗号化が必要な映像であるにも関わらず当該映像が暗号化されていない状態で出力されるおそれがある。
【００２９】
本実施形態では、上述のように暗号化要否信号により映像の暗号化が必要であることが示されており、暗号化が必要な映像が暗号化されていない場合は、当該映像の出力が抑制される。ここで例えば強制的に、映像の出力（映像信号の出力）自体が停止されるようにしてもよい。また例えば、代わりの映像（例えば黒色の映像やホワイトノイズの映像など）が出力されるようにしてもよい。このようにして本実施形態によれば、暗号化が必要である映像が暗号化されていない状態で出力されるおそれを低減できることとなる。また本実施形態によれば暗号化が必要である映像が暗号化されていない状態で出力されることを防げることもある。
【００３０】
ここで暗号化要否信号は、垂直ブランク信号や水平ブランク信号に相当するパケットとして実装されてもよい。具体的には例えば、ヘッダに特定の値が設定されたＤＰ  Ｓｅｃｏｎｄａｒｙ  Ｐａｃｋｅｔとして実装されてもよい。この場合、例えば、暗号化が必要であることが、当該ＤＰ  Ｓｅｃｏｎｄａｒｙ  Ｐａｃｋｅｔのペイロードに含まれる特定のフィールドの値が１であることによって示されてもよい。また例えば、暗号化が不要であることが、当該ＤＰ  Ｓｅｃｏｎｄａｒｙ  Ｐａｃｋｅｔのペイロードに含まれる特定のフィールドの値が０であることによって示されてもよい。
【００３１】
図２に、垂直ブランク信号、水平ブランク信号、及び、フレーム画像の出力タイミングの一例を示す。図２には、１のフレーム画像の出力が終了してから次のフレーム画像の出力が開始されるまでの間に、垂直ブランク信号が出力されることが示されている。具体的にはフレーム画像Ａの出力前に垂直ブランク信号Ａが出力されることが示されている。またフレーム画像Ａの出力が終了してからフレーム画像Ｂの出力が開始されるまでの間に垂直ブランク信号Ｂが出力されることが示されている。
【００３２】
また図２には、１のフレーム画像に含まれる１のラインの出力が終了してから次のラインの出力が開始されるまでの間に水平ブランク信号が出力されることが示されている。具体的にはフレーム画像Ａの１のラインの出力が終了してから次のラインの出力が開始されるまでの間に水平ブランク信号Ａが出力されることが示されている。またフレーム画像Ｂの１のラインの出力が終了してから次のラインの出力が開始されるまでの間に水平ブランク信号Ｂが出力されることが示されている。
【００３３】
そしてこの場合に例えば、垂直ブランク信号に相当する複数のパケットのうちの１つのパケットとして、当該垂直ブランク信号に続いて出力されるフレーム画像の暗号化の要否を示す暗号化要否信号が出力されるようにしてもよい。例えば垂直ブランク信号Ａに相当する複数のパケットのうちの１つのパケットとして、フレーム画像Ａの暗号化の要否を示す暗号化要否信号が出力されるようにしてもよい。また同様に、垂直ブランク信号Ｂに相当する複数のパケットのうちの１つのパケットとして、フレーム画像Ｂの暗号化の要否を示す暗号化要否信号が出力されるようにしてもよい。
【００３４】
また例えば、水平ブランク信号に相当する複数のパケットのうちの１つのパケットとして、当該水平ブランク信号と交互に出力されるフレーム画像の次のフレーム画像の暗号化の要否を示す暗号化要否信号が出力されるようにしてもよい。例えば水平ブランク信号Ａに相当する複数のパケットのうちの１つのパケットとして、フレーム画像Ｂの暗号化の要否を示す暗号化要否信号が出力されるようにしてもよい。
【００３５】
また暗号化要否信号は、例えば、フレーム画像のヘッダとして実装されてもよい。例えば、フレーム画像Ａのヘッダとして、フレーム画像Ａの暗号化の要否を示す暗号化要否信号が出力されるようにしてもよい。また例えば、フレーム画像Ｂのヘッダとして、フレーム画像Ｂの暗号化の要否を示す暗号化要否信号が出力されるようにしてもよい。
【００３６】
またフレーム画像のヘッダとして、当該フレーム画像の次のフレーム画像の暗号化の要否を示す暗号化要否信号が実装されてもよい。例えば、フレーム画像Ａのヘッダとして、フレーム画像Ｂの暗号化の要否を示す暗号化要否信号が出力されるようにしてもよい。
【００３７】
以上のように、複数のフレーム画像のそれぞれについて、当該フレーム画像の暗号化の要否を示す、当該フレーム画像に対応付けられる暗号化要否信号が出力されるようにしてもよい。そしてフレーム画像の暗号化が必要であることを示す暗号化要否信号を受け付け、かつ、暗号化がされていないフレーム画像への変換を実行した場合には、当該フレーム画像の出力が抑制されるようにしてもよい。
【００３８】
また正規の暗号化要否信号だけでなく、不正な暗号化要否信号が変換部１８に出力されるよう改変されるおそれがある。そこで例えば、１のフレーム画像に対応付けられる暗号化要否信号が複数出力された際には、いずれかの暗号化要否信号に暗号化が必要であることが示されているか否かが確認されるようにしてもよい。そしていずれかの暗号化要否信号に暗号化が必要であることが示されていることが確認され、変換後のフレーム画像が暗号化されていない場合は、当該フレーム画像の出力が抑制されるようにしてもよい。
【００３９】
例えば変換部１８に、フレーム画像が出力される直前の垂直ブランク信号として、暗号化が必要であることを示す正規の暗号化要否信号だけでなく、暗号化が不要であることを示す暗号化要否信号が不正に入力されることがある。この場合でも上述のようにすれば、暗号化が必要であるフレーム画像が暗号化されていない場合は、当該フレーム画像に対応付けられる正規の暗号化要否信号に基づいて、当該フレーム画像の出力が抑制される。このようにして上述のようにすれば、暗号化が必要であるフレーム画像が暗号化されていない状態で出力されるおそれを低減できることとなる。また上述のようにすれば暗号化が必要であるフレーム画像が暗号化されていない状態で出力されることを防げることもある。
【００４０】
またプロセッサ１２は、フレーム画像やブランク信号をスクランブルしてから変換部１８に出力してもよい。この場合は、変換部１８は、プロセッサ１２から受け付けたフレーム画像やブランク信号をデスクランブルしてから後続の処理を実行する。
【００４１】
以下、本実施形態に係る変換部１８の機能並びに本実施形態に係る変換部１８で実行される処理についてさらに説明する。
【００４２】
図３は、本実施形態に係る変換部１８で実装される機能の一例を示す機能ブロック図である。なお、本実施形態に係る変換部１８で、図３に示す機能のすべてが実装される必要はなく、また、図３に示す機能以外の機能が実装されていても構わない。
【００４３】
図３に示すように、本実施形態に係る変換部１８は、第１受付部４０、デスクランブル部４２、第２受付部４４、映像変換部４６、出力制御部４８、出力部５０、を含んでいる。
【００４４】
以上の機能は、コンピュータである映像出力装置１０にインストールされた、以上の機能に対応する指令を含むプログラムをプロセッサ１２、又は、変換部１８が備えるプロセッサで実行することにより実装されてもよい。このプログラムは、例えば、光ディスク、磁気ディスク、磁気テープ、光磁気ディスク、フラッシュメモリ等のコンピュータ読み取り可能な情報記憶媒体を介して、あるいは、インターネットなどを介して映像出力装置１０に供給されてもよい。
【００４５】
第１受付部４０は、本実施形態では例えば、第１の経路を経由して映像及び当該映像の暗号化の要否を示す暗号化要否信号を受け付ける。例えば第１受付部４０は、プロセッサ１２からＤｉｓｐｌａｙＰｏｒｔ形式の映像及び暗号化要否信号を受け付ける。
【００４６】
デスクランブル部４２は、本実施形態では例えば、第１受付部４０が受け付けた信号をデスクランブルする。
【００４７】
第２受付部４４は、本実施形態では例えば、第１の経路とは異なる第２の経路を経由して制御信号を受け付ける。例えば第２受付部４４は、サブシステム１６から制御信号を受け付ける。
【００４８】
映像変換部４６は、本実施形態では例えば、第２受付部４４が受け付ける制御信号に応じて、第１受付部４０が受け付ける映像を、当該映像とは形式が異なる暗号化された映像、又は、当該映像とは形式が異なる暗号化されていない映像のいずれかに変換する。映像変換部４６は、ＤｉｓｐｌａｙＰｏｒｔ形式の映像をＨＤＭＩ形式の映像に変換してもよい。
【００４９】
出力制御部４８は、本実施形態では例えば、第１受付部４０が受け付ける暗号化要否信号と、映像変換部４６による変換後の映像が暗号化されているか否かと、に基づいて、当該映像を出力するか否かを制御する。ここで例えば、出力制御部４８が、第１受付部４０が受け付ける暗号化要否信号に相当するパケットを保持してもよい。そして出力制御部４８が、保持しているパケットと、映像変換部４６による変換後の映像が暗号化されているか否かと、に基づいて、当該映像を出力するか否かを制御してもよい。
【００５０】
出力部５０は、本実施形態では例えば、出力されるよう制御された映像を出力ポート２０経由で表示装置３０に出力する。ここで出力部５０は、出力制御部４８によって映像を出力しないよう制御された場合に、強制的に、映像の出力（映像信号の出力）自体を停止するようにしてもよい。また出力部５０は、出力制御部４８によって映像を出力しないよう制御された場合に、代わりの映像（例えば黒色の映像やホワイトノイズの映像など）を出力してもよい。
【００５１】
ここで上述のように、第１受付部４０が、映像に含まれるフレーム画像に対応付けられる暗号化要否信号を受け付けてもよい。この場合、出力制御部４８が、暗号化要否信号と、映像変換部４６による変換後の映像に含まれる、当該暗号化要否信号に対応付けられるフレーム画像が暗号化されているか否かと、に基づいて、当該フレーム画像を出力するか否かを制御してもよい。
【００５２】
また上述のように、第１受付部４０が１のフレーム画像に対応付けられる複数の暗号化要否信号を受け付けてもよい。ここで当該複数の暗号化要否信号のいずれかが、対応付けられるフレーム画像が暗号化される必要があることを示しており、映像変換部４６による変換後の映像が暗号化されていない場合に、出力制御部４８は、当該フレーム画像が出力されないよう制御してもよい。
【００５３】
第１受付部４０による映像の受付、デスクランブル部４２によるデスクランブル、映像変換部４６による映像の変換、出力制御部４８による映像の出力制御、出力部５０による映像の出力の一連の処理は、フレーム画像に含まれる画素単位で実行されてもよい。また上述の一連の処理が数画素を単位として実行されてもよい。また上述の一連の処理がフレーム画像単位で実行されてもよい。
【００５４】
以下、本実施形態に係る出力制御部４８において行われる、映像を出力するか否かを制御する処理の流れの一例を、図４に例示するフロー図を参照しながら説明する。
【００５５】
本処理例では、例えば映像変換部４６によって変換されたフレーム画像に含まれる画素単位で、以下の処理が実行される。
【００５６】
また本処理例では、出力制御部４８が、当該画素を含むフレーム画像を第１受付部４０が受け付けた直前の垂直ブランク信号に含まれる暗号化要否信号のパケットを保持していることとする。
【００５７】
ここで当該画素を含むフレーム画像を受け付けた直前の垂直ブランク信号として、複数の暗号化要否信号のパケットを受け付けることがある。この場合、いずれかの暗号化要否信号が、暗号化が必要であることを示している場合は、出力制御部４８は、暗号化される必要があることを示す暗号化要否信号のパケットを保持することとする。また、いずれの暗号化要否信号も、暗号化が不要であることを示している場合は、出力制御部４８は、暗号化が不要であることを示す暗号化要否信号のパケットを保持することとする。
【００５８】
まず、出力制御部４８は、映像変換部４６による変換後の画素が暗号化されているか否かを確認する（Ｓ１０１）。以下、当該画素をターゲット画素と呼ぶこととする。
【００５９】
暗号化されていないことが確認された場合は（Ｓ１０１：Ｎ）、出力制御部４８は、第１受付部４０が、暗号化が不要であることを示す、ターゲット画素を含むフレーム画像に対応付けられる暗号化要否信号を受け付けたか否かを確認する（Ｓ１０２）。ここで出力制御部４８が、保持しているパケットに基づいて、当該確認を実行してもよい。
【００６０】
ここで暗号化が不要であることを示す、上述のフレーム画像に対応付けられる暗号化要否信号を受け付けていないことが確認されたとする（Ｓ１０２：Ｎ）。例えば直前の垂直ブランク信号として、暗号化が必要であることを示す上述のフレーム画像に対応付けられる暗号化要否信号を受け付けた場合が、この場合に含まれる。また例えば、直前の垂直ブランク信号として、上述のフレーム画像に対応付けられる暗号化要否信号を受け付けていない場合もこの場合に含まれる。この場合は、出力制御部４８は、ターゲット画素の出力が抑制されるよう制御する（Ｓ１０３）。このように暗号化要否信号を受け付けていない場合に、暗号化が必要であることを示す暗号化要否信号を受け付けた場合と同様の動作をするようにしてもよい。こうすればプロセッサ１２の暗号化要否信号の出力機能が正しく動作していない場合にも暗号化が必要な映像が暗号化されていない状態で表示装置３０に出力されるおそれを低減できることとなる。またこの場合に上述のように、強制的に、ターゲット画素の出力（ターゲット画素を表す信号の出力）自体が停止されるようにしてもよい。また代わりの画素（例えば黒色の画素やホワイトノイズの画素）が出力されるようにしてもよい。そしてＳ１０１に示す処理に戻り、次に変換された画素についてＳ１０１以降の処理が実行される。
【００６１】
Ｓ１０１に示す処理でターゲット画素が暗号化されていることが確認された場合（Ｓ１０１：Ｙ）は、出力制御部４８は、ターゲット画素が出力されるよう制御する（Ｓ１０４）。Ｓ１０２に示す処理で、暗号化が不要であることを示す、上述のフレーム画像に対応付けられる暗号化要否信号を受け付けたことが確認された場合も、出力制御部４８は、ターゲット画素が出力されるよう制御する（Ｓ１０４）。そしてＳ１０１に示す処理に戻り、次に変換された画素についてＳ１０１以降の処理が実行される。
【００６２】
なお上述の処理例では画素単位でＳ１０１〜Ｓ１０４に示す処理が実行されるが、数画素単位、又は、フレーム画像単位でＳ１０１〜Ｓ１０４に示す処理が実行されてもよい。
【００６３】
また例えば、ターゲット画素が暗号化されていることが確認された場合に、出力制御部４８は、第１受付部４０が、暗号化が必要であることを示す、ターゲット画素を含むフレーム画像に対応付けられる暗号化要否信号を受け付けたか否かを確認してもよい。そして暗号化が必要であることを示す、上述のフレーム画像に対応付けられる暗号化要否信号を受け付けていないことが確認された場合は、出力制御部４８が、ターゲット画素の出力が抑制されるよう制御してもよい。
【００６４】
また例えば、第１受付部４０が暗号化要否信号を受け付けていない場合は、第２受付部４４が暗号化を指示する制御信号を受け付けても、出力制御部４８が、映像を出力しないよう制御してもよい。
【００６５】
なお、本発明は上述の実施形態に限定されるものではない。
【００６６】
例えば第１受付部４０が、暗号化が必要であることを示す暗号化要否信号を受け付け、かつ、映像変換部４６が、第１受付部４０が受け付けた映像を、当該映像とは形式が異なる暗号化されていない映像に変換したとする。この場合に、出力制御部４８が、その旨をプロセッサ１２に通知してもよい。
【００６７】
また例えば、第１受付部４０が、暗号化要否信号を受け付けておらず、かつ、映像変換部４６が、第１受付部４０が受け付けた映像を、当該映像とは形式が異なる暗号化されていない映像に変換したとする。この場合に、出力制御部４８が、その旨をプロセッサ１２に通知してもよい。
【００６８】
例えば上述のＳ１０３に示す処理が実行される場合に、併せて出力制御部４８がプロセッサ１２への上述の通知を実行してもよい。
【００６９】
例えばこのようにすることで、プロセッサ１２に、映像出力装置１０の動作の停止、再起動、不適正な制御が発生したことの報知などといった、不適正な制御に対する対抗措置となる処理の実行を促すことが可能となる。
【００７０】
また本発明が適用可能な場面は限定されない。例えば本発明は、プロセッサ１２が生成する、ゲームのプレイ状況を表す映像が、変換部１８で変換されて映像出力装置１０から表示装置３０に出力される場面に適用可能である。また本発明は、記憶部１４に記憶されている映画等のコンテンツの映像が、変換部１８で変換されて映像出力装置１０から表示装置３０に出力される場面に適用可能である。
【００７１】
また、上記の具体的な文字列や数値及び図面中の具体的な文字列や数値は例示であり、これらの文字列や数値には限定されない。
【図１】
2019031445.tif 000003
【図２】
2019031445.tif 000004
【図３】
2019031445.tif 000005
【図４】
2019031445.tif 000006
【国際調査報告】
2019031445.tif 000007
2019031445.tif 000008